(57)【要約】【課題】たわし洗浄とブラシ洗浄の双方を選択可能な洗浄具を提供する。【解決手段】厚み方向に多数の貫通孔（６）を形成した不織布又は軟質の合成樹脂発泡体からなるたわし層（３）を基台部（２）の片面に貼り合わせ、各貫通孔内には貫通孔の孔径より小径のブラシ毛束（４）をその先端がたわし層の表面より低くなる長さにして基台部に植設する。【選択図】図１
2008029900.tif 000002
【特許請求の範囲】
【請求項１】
水や洗剤を含ませて被洗浄物表面の汚れを落とすための洗浄具であって、
厚み方向に多数の貫通孔が形成された不織布又は合成樹脂発泡体からなるたわし層を基台部の片面に接着し、
前記各貫通孔内には該貫通孔の孔径より小径のブラシ毛束が、先端を前記たわし層の表面より低くなる長さで前記基台部に植設してあることを特徴とする洗浄具。
【請求項２】
請求項１に記載の洗浄具において、前記貫通孔の孔径と前記ブラシ毛束の径とを等しくし、前記ブラシ毛束はその先端を前記たわし層の表面に一致する長さで前記基台部に植設してあることを特徴とする洗浄具。
【請求項３】
請求項１又は２に記載の洗浄具において、前記ブラシ毛束はその先端部を前記たわし層の表面から突出させた長さで前記基台部に植設してあることを特徴とする洗浄具。
【請求項４】
請求項１又は２に記載の洗浄具において、前記基台部における前記たわし層とは反対側面に前記たわし層とは硬さの異なる不織布又は合成樹脂発泡体からなる第２のたわし層が接着してあることを特徴とする洗浄具。
【請求項５】
請求項１乃至４の何れかに記載の洗浄具において、前記基台部及び前記たわし層は平面形状が矩形、楕円、円等の同一所定形状に形成してあり、該形状の周辺に位置する前記ブラシ毛束は前記形状外に向けて斜めに立植してあり、それを通す貫通孔も斜めに形成してあることを特徴とする洗浄具。
【請求項６】
請求項１に記載の洗浄具において、前記基台部は平面形状が矩形に形成され、その長手方向両側には両手で持って前記洗浄具を左右動させるための帯状体が取り付けてあることを特徴とする洗浄具。
【発明の詳細な説明】
【技術分野】
【０００１】
本発明は、たわしと洗浄用ブラシを組み合わせた洗浄具に関する。
【背景技術】
【０００２】
一般家庭では、食器、調理器具等の台所用品、浴室やトイレの床、壁などを洗浄する際にたわしや洗浄用ブラシが使用される。洗浄用ブラシの多くは硬質の台座に合成樹脂性のブラシ毛や獣毛を植設したもので、落ちにくい汚れを落とすときに洗剤や水を染み込ませて使用される。たわしには幾つかの種類がある。食器や調理器具の表面についた汚れを、表面に傷を付けずに落とすには柔らかいスポンジたわしが使われる。同じたわしでも、亀の子たわし（登録商標）や金属たわしは、傷を問題にしない個所に固着した汚れを落とすときに使用される。ブラシは毛の先端部分で汚れをかき落とすのに対し、柔らかいスポンジたわしの場合は含ませた洗剤の洗浄力を利用して汚れを洗い落とす。
【０００３】
スポンジたわしは吸水性に富み、洗剤を保持する能力に優れている。また、柔らかいため器物表面を傷つける心配が少ない。反面、柔らかいため固くこびり付いた汚れを落とすには不向きである。ブラシは、傷が問題にならない個所の固くこびり付いた汚れを落とすに向いている。反面、保水性に欠けるため洗剤が流れ落ちやすく、洗剤を多く必要とする。また、ブラシ毛の腰が強いため、洗剤や水が飛散して周囲を汚す欠点がある。柔らかいたわしと洗浄用ブラシにはこうした長所、短所があるため、一般には両者を準備しておき、洗浄個所や汚れの程度に応じて使い分けが行なわれる。
【０００４】
しかし、洗浄の度にたわしとブラシの両方を準備し、この部分はたわし、この部分はブラシと交換しながら作業するのは不便である。従来技術として特許文献１には、ブラシの柄の端にスポンジ又はナイロン不織布のたわしを取り付けた洗浄具が開示されている。しかし、このように柄の両端にブラシとたわしを取り付けた構成では作業性が悪い問題がある。
【０００５】
また、特許文献２には握り部材の下面にブラシ、上面にスポンジを配したスポンジ付きタワシが開示されている。このスポンジ付きタワシはスポンジ部に水や洗剤を含ませておき、スポンジ部を少しずつ圧縮して水や洗剤をブラシ部に流出供給しながら洗浄を行なうものである。この方式はブラシの欠点である保水性を補償できるが、ブラシ毛が跳ねて洗剤や水が周囲に飛散することを防止できない。
【特許文献１】実開昭６１−２０５４５３号公報
【特許文献２】特開２００２−１１２８３６号公報
【発明の開示】
【発明が解決しようとする課題】
【０００６】
本発明は、従来技術のこうした問題点を解決するためになされたもので、その課題は、傷を問題にする個所の汚れを落とす際には柔らかいたわしとして、反対に傷をさほど問題にしない個所の固くこびり付いた汚れを落とす際には洗浄用ブラシのように使用することができ、且つ、ブラシの欠点である保水性を補い、ブラシ毛が跳ねることによる洗剤や水の飛散を防止できるたわしとブラシを組み合わせた洗浄具を提供することにある。
【課題を解決するための手段】
【０００７】
前記課題を解決するための請求項１に記載の発明は、水や洗剤を含ませて被洗浄物表面の汚れを落とすための洗浄具であって、厚み方向に多数の貫通孔が形成された不織布又は合成樹脂発泡体からなるたわし層を基台部の片面に接着し、各貫通孔内には貫通孔の孔径より小径のブラシ毛束が、先端をたわし層の表面より低くなる長さで基台部に植設してあることを特徴とする洗浄具である。
【０００８】
このよう構成の洗浄具は、被洗浄面に押し付ける力を加減することにより、たわし層による洗浄と、ブラシ毛束によるブラシ洗浄の２種類に使い分けできる利点を有する。また、洗浄用ブラシのように使用する場合、たわし層がその高い吸水性により洗剤や水をブラシ毛束に継続的に供給してブラシ毛の保水性を補償するため、洗剤や水の使用量を減らす効果を奏する。更に、ブラシ毛束の周囲を埋めつくすたわし層は、ブラシ毛の跳ねによる洗剤や水の周囲への飛散を防止する効果も発揮する。
【０００９】
また、請求項２に記載の発明は、請求項１に記載の洗浄具において、貫通孔の孔径とブラシ毛束の径とを等しくし、ブラシ毛束はその先端をたわし層の表面に一致する長さで基台部に植設してあることを特徴とする洗浄具である。
【００１０】
このような構成の洗浄具はブラシ毛束の先端が常に被洗浄面に接触してブラシ洗浄具のように機能するが、従来の洗浄用ブラシと異なり、ブラシ毛束の周囲を埋めつくすたわし層がブラシ毛の跳ねによる洗剤や水の周囲への飛散を防止する効果を発揮する。また、たわし層はその高い吸水性により洗剤や水をブラシ毛束に継続的に供給してブラシ毛の保水性を補償し、洗剤や水の使用量を減らす効果を奏する。
【００１１】
また、請求項３に記載の発明は、請求項１又は２に記載の洗浄具において、ブラシ毛束はその先端部をたわし層の表面から突出させた長さで基台部に植設してあることを特徴とする洗浄具である。
【００１２】
このような構成の洗浄具は、請求項２に記載の洗浄具と同様の効果を奏する。
【００１３】
また、請求項４に記載の発明は、請求項１又は２に記載の洗浄具において、基台部におけるたわし層とは反対側面にたわし層とは硬さの異なる不織布又は合成樹脂発泡体からなる第２のたわし層が接着してあることを特徴とする洗浄具である。
【００１４】
このような構成とすれば第２のたわし層も従来のたわしのように使用できる。請求項１に記載の洗浄具に適用した場合には、押し付け力を弱くしてのたわし層によるたわし洗浄、押し付け力を強くしてのブラシ毛束によるブラシ洗浄、硬度の異なる第２のたわし層によるたわし洗浄の３種類の洗浄に使い分けできる利点を有する。請求項２に記載の洗浄具に適用した場合は、ブラシ毛束の先端によるブラシ洗浄と第２のたわし層によるたわし洗浄の２種類の洗浄に使い分けできる利点を有する。
【００１５】
また、請求項５に記載の発明は、請求項１乃至４の何れかに記載の洗浄具において、基台部及びたわし層は平面形状が矩形、楕円、円等の同一所定形状に形成してあり、その形状の周辺に位置するブラシ毛束はその形状の外に向けて斜めに立植してあり、それを通す貫通孔も斜めに形成してあることを特徴とする洗浄具である。
【００１６】
このように周辺に位置するブラシ毛束が斜め外向きに立植してあると、被洗浄面のコーナー部の洗浄を容易に行なうことができる。
【００１７】
また、請求項６に記載の発明は、請求項１に記載の洗浄具において、基台部は平面形状が矩形に形成され、その長手方向両側には両手で持って洗浄具を左右動させるための帯状体が取り付けてあることを特徴とする洗浄具である。
【００１８】
このような構成の洗浄具は、洗浄具を背中に押し当てる力を加減することでたわし層によるソフトな洗浄とブラシによるハードな洗浄の２種類に使い分けできる利点を有する。
【発明を実施するための最良の形態】
【００１９】
以下、本発明に係る洗浄具の構成例を実施形態に分けて説明する。
（第１の実施形態）
図１は、第１の実施形態に係る洗浄具１の一部を断面にした斜視図である。洗浄具１は、基台部２とたわし層３と多数のブラシ毛束４とから構成してある。基台部２及びたわし層３は、図では平面形状を矩形にしてあるが楕円、円等の同一所定形状でよい。
【００２０】
たわし層３は、従来のスポンジたわし洗浄具におけるスポンジたわしに相当する部分である。本実施形態のたわし層３もスポンジたわしと同様な材料を用いて形成してある。ポリウレタン、ポリエチレン、ポリスチレン、ポリアクリル、塩化ビニル、塩化ビニリデン、ポリアミド等の軟質の合成樹脂発泡体を用いる。こうしたスポンジと呼ばれるものの他、合成樹脂繊維や天然繊維で形成した軟質の不織布を用いてもよい。
【００２１】
たわし層３は基台部２に貼り合わせてある。基台部２は、後述するブラシ毛束４を支持する役割を果たす。基台部２の材料には、たわし層３よりも硬質の不織布、合成樹脂発泡体が適する。合成樹脂成形体、木材等の変形しない固い材料を使用してもよい。
【００２２】
たわし層３には貫通孔６が、層の厚み方向に多数形成してある。その貫通孔６内には、ブラシ毛束４が基台部２に植設された状態で立っている。ブラシ毛束４の先端は、本実施形態の洗浄具１ではたわし層３の表面より低い位置になるようにしてある。そのようにブラシ毛束４の長さが調整してある。ブラシ毛には、従来の洗浄用ブラシに使用されたと同じように獣毛、合成樹脂性毛を使用する。
【００２３】
図２、図３は、洗浄具１の使用状態を断面図で示したものである。図２は、洗浄具１を弱い力で被洗浄面７に押し付けて洗浄している状態を示している。たわし層３には水や洗剤を含ませておく。押し付け力が弱いため、被洗浄面７にはたわし層３の表面のみが接触する。ブラシ毛束４の先端は貫通孔６の入口より奥にあるため、被洗浄面７には接触しない。被洗浄面７は従来のスポンジたわしを使用した場合と同じようにして洗浄される。即ち、弱い力で押し付けて使用する場合、洗浄具１は従来のスポンジたわしあるいは不織布たわしと同じように機能する。
【００２４】
図３は、洗浄具１を強い力で被洗浄面７に押し付けて洗浄している状態を示している。たわし層３には水や洗剤を含ませておく。押し付け力が強いため、たわし層３は圧縮されて厚みが減る。これにより貫通孔６内に隠れていたブラシ毛束４の先端が被洗浄面７に接触するようになる。被洗浄面７はブラシ毛束４の先端で洗浄される。即ち、強い力で押し付けて使用する場合、洗浄具１は従来の洗浄用ブラシのように機能する。
【００２５】
貫通孔６の孔径はブラシ毛束４の径より若干大きくして両者の間に狭い隙間が形成されるようにしておくとよい。この隙間の間隔はたわし層３の硬度が高く、ブラシ毛の腰が強い場合は狭くてもよいが、たわし層３の硬度が低い場合は広めにしておくのが好ましい。圧縮により変形したたわし層３がブラシ毛束４の先端部を覆ってしまい、ブラシ毛束４の先端が被洗浄面７に接触しなくなることがあるからである。
【００２６】
このように本実施形態の洗浄具１は被洗浄面７に押し付ける力を加減することにより、スポンジたわしあるいは不織布たわしによる洗浄と、洗浄用ブラシによる洗浄の２種類に使い分けできる利点を有する。また、洗浄用ブラシのように使用する場合、たわし層３がその高い吸水性により洗剤や水をブラシ毛束４に継続的に供給してブラシ毛の保水性を補償するため、洗剤や水の使用量を減らす効果を奏する。更に、ブラシ毛束４の周囲を埋めつくすたわし層３は、ブラシ毛の跳ねによる洗剤や水の周囲への飛散を防止する効果を発揮する。
【００２７】
（第２の実施形態）
本実施形態の洗浄具は第１の実施形態の洗浄具１の変形実施形態であり、図４はその洗浄具１ａを強い力で被洗浄面７に押し付けて洗浄している状態の断面図である。本実施形態の洗浄具１ａは、多数のブラシ毛束４のうち周辺に位置するブラシ毛束４ａを斜め外向きに立植した構成にしてある。それを通す貫通孔６ａも斜めに形成してある。
【００２８】
このように周辺に位置するブラシ毛束４ａが斜め外向きになっていると、図４に示すように被洗浄面７のコーナー部の洗浄を容易に行なうことができる。
【００２９】
（第３の実施形態）
図５は、本実施形態の洗浄具１ｂの一部を断面にした斜視図である。洗浄具１ｂは、図１に示した第１の実施形態の洗浄具１における基台部２の反対側面に第２のたわし層９を貼り合わせたものである。第２のたわし層９もたわし層３と同じような材料で形成する。但し、その硬度はたわし層３とは異なる硬度にしておくことが好ましい。
【００３０】
第２のたわし層９も従来のたわしのように使用できる。従って、本実施形態の洗浄具１ｂは、押し付け力を弱くしてのたわし層３によるたわし洗浄、押し付け力を強くしてのブラシ毛束４の先端によるブラシ洗浄、硬度の異なる第２のたわし層９によるたわし洗浄の３種類の洗浄に使い分けできる利点を有する。なお、この洗浄具１ｂの場合も周辺に位置するブラシ毛束を図４に示したように斜め外向きに立植しておけば、被洗浄面７のコーナー部の洗浄を容易に行なうことができる。
【００３１】
（第４の実施形態）
図６は、本実施形態の洗浄具１ｃの一部を断面にした斜視図である。洗浄具１ｃは、図１に示した第１の実施形態の洗浄具１におけるブラシ毛束４の長さを長くして、その先端をたわし層３の表面に一致させたものである。貫通孔６の孔径はブラシ毛束４の径と同一でよい。
【００３２】
この洗浄具１ｃは、図７に示す断面図のようにブラシ毛束４の先端が常に被洗浄面に接触するため洗浄用ブラシとして機能する。しかし、従来の洗浄用ブラシと異なり、ブラシ毛束４の周囲を埋めつくすたわし層３がブラシ毛の跳ねによる洗剤や水の周囲への飛散を防止する効果を発揮する。また、たわし層３がその高い吸水性により洗剤や水をブラシ毛束４に継続的に供給してブラシ毛の保水性を補償するため、洗剤や水の使用量を減らす効果を奏する。
【００３３】
（第５の実施形態）
本実施形態の洗浄具は第４の実施形態の洗浄具１ｃの変形実施形態であり、第２の実施形態の洗浄具１ａの場合と同様に多数のブラシ毛束４のうち周辺に位置するブラシ毛束４ａを斜め外向きに立植したものである。それを通す貫通孔も斜めに形成してある。図８は、その洗浄具１ｄを被洗浄面７に押し付けて洗浄している状態の断面図である。
【００３４】
このように周辺に位置するブラシ毛束４ａが斜め外向きに立植してあると、図８に示すように被洗浄面７のコーナー部の洗浄を容易に行なうことができる。
【００３５】
（第６の実施形態）
図９は、本実施形態の洗浄具１ｅの一部を断面にした斜視図である。洗浄具１ｅは、図６に示した第４の実施形態の洗浄具１ｃにおける基台部２の反対側面に第３の実施形態の洗浄具１ｂと同様に第２のたわし層９を貼り合わせたものである。第２のたわし層９もたわし層３と同じような材料で形成する。
【００３６】
第２のたわし層９は従来のたわしのように使用できる。従って、本実施形態の洗浄具１ｅはブラシ毛束４の先端によるブラシ洗浄と、第２のたわし層９によるたわし洗浄の２種類の洗浄に使い分けできる利点を有する。なお、この洗浄具１ｅの場合も周辺に位置するブラシ毛束を図８の洗浄具１ｄと同様に斜め外向きに立植しておけば、被洗浄面のコーナー部の洗浄を容易に行なうことができる。
【００３７】
（第７の実施形態）
図１０は、本実施形態の洗浄具１ｆの一部を断面にした斜視図である。洗浄具１ｆは、図６に示した第４の実施形態の洗浄具１ｃにおけるブラシ毛束４の長さを更に長くして、その先端をたわし層３の表面から突出させたものである。貫通孔６の孔径はブラシ毛束４の径と同一でよい。
【００３８】
この洗浄具１ｆは、図１１に示す断面図のようにブラシ毛束４の先端が常に被洗浄面に接触して洗浄用ブラシとして機能する。しかし、従来の洗浄用ブラシと異なり、ブラシ毛束４の周囲を埋めつくすたわし層３がブラシ毛の跳ねによる洗剤や水の周囲への飛散を防止する効果を発揮する。また、たわし層３がその高い吸水性により洗剤や水をブラシ毛束４に継続的に供給してブラシ毛の保水性を補償するため、洗剤や水の使用量を減らす効果を奏する。
【００３９】
（第８の実施形態）
本実施形態の洗浄具は第７の実施形態の洗浄具１ｆの変形実施形態であり、第２の実施形態の洗浄具１ａの場合と同様に多数のブラシ毛束４のうち周辺に位置するブラシ毛束４ａを斜め外向きに立植したものである。それを通す貫通孔も斜めに形成してある。図１２は、その洗浄具１ｇを被洗浄面７に押し付けて洗浄している状態の断面図である。
【００４０】
このように周辺に位置するブラシ毛束４ａが斜め外向きに立植してあると、図１２に示すように被洗浄面７のコーナー部の洗浄を容易に行なうことができる。
【００４１】
（第９の実施形態）
本実施形態の洗浄具は、第１の実施形態の洗浄具１を背中洗い用に改良したものである。図１３にその洗浄具１ｈの外観斜視図を示す。洗浄具１における基台部２の長手方向両側に帯状体１０が取り付けてある。帯状体１０の先端にはリング１１を取り付けてもよい。背中を洗うときは、帯状体１０の両端、又は左右のリング１１を手で持ち、洗浄具１を背中に押し当てた状態で左右動させる。
【００４２】
本実施形態の洗浄具１ｈは、洗浄具１を背中に押し当てる力を加減することにより、たわし層３によるソフトな洗浄とブラシによるハードな洗浄の２種類に使い分けることができる。
【図面の簡単な説明】
【００４３】
【図１】第１の実施形態に係る洗浄具１の一部を断面にした斜視図である。
【図２】洗浄具１を弱い力で押し付けて洗浄している状態の断面図である。
【図３】洗浄具１を強い力で押し付けて洗浄している状態の断面図である。
【図４】第２の実施形態に係る洗浄具１ａを強い力で押し付けて洗浄している状態の断面図である。
【図５】第３の実施形態に係る洗浄具１ｂの一部を断面にした斜視図である。
【図６】第４の実施形態に係る洗浄具１ｃの一部を断面にした斜視図である。
【図７】第４の実施形態に係る洗浄具１ｃの使用状態の断面図である。
【図８】第５の実施形態に係る洗浄具１ｄの使用状態の断面図である。
【図９】第６の実施形態に係る洗浄具１ｅの一部を断面にした斜視図である。
【図１０】第７の実施形態に係る洗浄具１ｆの一部を断面にした斜視図である。
【図１１】第７の実施形態に係る洗浄具１ｆの使用状態の断面図である。
【図１２】第８の実施形態に係る洗浄具１ｇの使用状態の断面図である。
【図１３】第９の実施形態に係る洗浄具１ｈの外観斜視図である。
【符号の説明】
【００４４】
図面中、１、１ａ、１ｂ、１ｃ、１ｄ、１ｅ、１ｆ、１ｇ、１ｈは洗浄具、２はたわし層、３は基台部、４、４ａはブラシ毛束、６、６ａは貫通孔、７は洗浄面、９は第２のたわし層、１０は帯状体を示す。
【図１】
2008029900.tif 000003
【図２】
2008029900.tif 000004
【図３】
2008029900.tif 000005
【図４】
2008029900.tif 000006
【図５】
2008029900.tif 000007
【図６】
2008029900.tif 000008
【図７】
2008029900.tif 000009
【図８】
2008029900.tif 000010
【図９】
2008029900.tif 000011
【図１０】
2008029900.tif 000012
【図１１】
2008029900.tif 000013
【図１２】
2008029900.tif 000014
【図１３】
2008029900.tif 000015